(57)【要約】【課題】歯茎への当たり心地が良好であり、歯茎の傷付きを防止できると共に、充分なマッサージ効果が得られる口腔内マッサージ用具を提供する。【解決手段】本発明の口腔内マッサージ用具１は、ヘッド部１０と、ヘッド部１０に延設されたハンドル部２０とを備え、ヘッド部１０に軟質材料製の突出体３０ａ，３０ｂが設けられ、突出体３０ａ，３０ｂは、ヘッド部１０に突設された台座部３１ａ，３１ｂと、台座部３１ａ，３１ｂの突端に形成された複数の突起部３２とを有する。【選択図】図２
2013198593.tif 000002
【特許請求の範囲】
【請求項１】
ヘッド部と、該ヘッド部に延設されたハンドル部とを備え、前記ヘッド部に軟質材料製の突出体が設けられた口腔内マッサージ用具において、
前記突出体は、前記ヘッド部に突設された台座部と、該台座部の突端に形成された複数の突起部とを有することを特徴とする口腔内マッサージ用具。
【請求項２】
前記突起部が、先端に向かうにつれて細くなる、請求項１に記載の口腔内マッサージ用具。
【請求項３】
前記突出体が複数設けられ、任意の突出体と他の任意の突出体との高さが異なっている、請求項１または２に記載の口腔内マッサージ用具。
【請求項４】
電気的な駆動により振動する、請求項１〜３のいずれか一項に記載の口腔内マッサージ用具。
【発明の詳細な説明】
【技術分野】
【０００１】
本発明は、口腔内のマッサージに使用される口腔内マッサージ用具に関する。
【背景技術】
【０００２】
歯周病予防や歯茎の強化を目的として、マッサージ用具を用いて、口腔内、特に歯茎をマッサージすることがある。口腔内マッサージ用具としては、例えば、ヘッド部と、ヘッド部に延設されたハンドル部とを備え、ヘッド部に軟質材料製の突出体が複数設けられたものが知られている（特許文献１，２）。この口腔内マッサージ用具を用いた歯茎のマッサージ方法では、歯磨きと同様に口腔内マッサージ用具を動かし、歯茎を突出体で擦ることによってマッサージする。
【先行技術文献】
【特許文献】
【０００３】
【特許文献１】特開２００９−０５１７９５号公報
【特許文献２】特開２０１０−１８９４３１号公報
【発明の概要】
【発明が解決しようとする課題】
【０００４】
しかしながら、特許文献１，２に記載の口腔内マッサージ用具では、突出体が硬すぎると、歯茎に接触した際の当たり心地が不快であり、また、歯茎を傷付けることもあった。一方、突出体が柔らかすぎると、充分なマッサージ効果が得られないことがあった。
本発明は、歯茎への当たり心地が良好であり、歯茎の傷付きを防止できると共に、充分なマッサージ効果が得られる口腔内マッサージ用具を提供することを目的とする。
【課題を解決するための手段】
【０００５】
本発明は、以下の態様を有する。
［１］ヘッド部と、該ヘッド部に延設されたハンドル部とを備え、前記ヘッド部に軟質材料製の突出体が設けられた口腔内マッサージ用具において、前記突出体は、前記ヘッド部に突設された台座部と、該台座部の突端に形成された複数の突起部とを有することを特徴とする口腔内マッサージ用具。
［２］前記突起部が、先端に向かうにつれて細くなる、［１］に記載の口腔内マッサージ用具。
［３］前記突出体が複数設けられ、任意の突出体と他の任意の突出体との高さが異なっている、［１］または［２］に記載の口腔内マッサージ用具。
［４］電気的な駆動により振動する、［１］〜［３］のいずれか一項に記載の口腔内マッサージ用具。
【発明の効果】
【０００６】
本発明の口腔内マッサージ用具は、歯茎への当たり心地が良好であり、歯茎の傷付きを防止できると共に、充分なマッサージ効果が得られる。
【図面の簡単な説明】
【０００７】
【図１】本発明の口腔内マッサージ用具の一実施形態を示す平面図である。
【図２】本発明の口腔内マッサージ用具の一実施形態を示す側面図である。
【図３】口腔内マッサージ用具を構成する突出体に対する圧縮試験方法を示す側面図である。
【図４】実施例１および比較例１の口腔内マッサージ用具を構成する突出体に対する圧縮試験の結果を示すグラフである。
【発明を実施するための形態】
【０００８】
本発明の口腔内マッサージ用具の一実施形態について説明する。
図１および図２に、本実施形態の口腔内マッサージ用具を示す。本実施形態の口腔内マッサージ用具１は、ヘッド部１０と、ヘッド部１０に延設された長尺状のハンドル部２０とを備え、ヘッド部１０に突出体３０ａ，３０ｂが複数設けられたものである。
【０００９】
口腔内マッサージ用具１において、ヘッド部１０とハンドル部２０とは、全体として長尺状に一体成形されたものであり（以下、ヘッド部１０とハンドル部２０とが一体成形されたものをハンドル体ということがある）、ヘッド部１０の長手方向は口腔内マッサージ用具１の長手方向に沿っている。ハンドル体は、例えば、樹脂を射出成形することにより得ることができる。
ハンドル体を構成する樹脂は、口腔内マッサージ用具１に求められる剛性や機械特性等を勘案して決定でき、例えば、曲げ弾性率（ＪＩＳ  Ｋ７２０３）が５００〜３０００ＭＰａの範囲にある高硬度樹脂が挙げられる。このような高硬度樹脂としては、例えば、ポリプロピレン（ＰＰ）、ポリエチレンテレフタレート（ＰＥＴ）、ポリシクロへキシレンジメチレンテレフタレート（ＰＣＴ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられる。これらは１種単独で又は２種以上を適宜組み合わせて用いることができる。
また、ハンドル体、特にハンドル部２０は、例えばエラストマー等の柔軟な樹脂が部分的又は全体に被覆されていてもよい。ハンドル体が柔軟な樹脂で被覆される場合には、その被覆と共に、柔軟な樹脂によって突出体３０ａ，３０ｂを一体的に成形することもできる。
【００１０】
本実施形態におけるヘッド部１０は、平面視略楕円形状の板状体であり、突出体３０ａ，３０ｂが設けられた表面１０ａが平面になっている。本明細書においては、突出体３０ａ，３０ｂが取り付けられた表面１０ａのことを、「取付面１０ａ」という。
ヘッド部１０の大きさは、口腔内での操作性等を勘案して決定でき、例えば、幅が１０〜１５ｍｍとされ、厚さが４〜８ｍｍとされる。
【００１１】
本実施形態では、取付面１０ａに突出体３０ａ，３０ｂが３列に突設されており、軸線Ａに沿って配置された突出体３０ａによって中央突出体群αを形成し、中央突出体群αを挟んだ両側の突出体３０ｂによって外側突出体群βを形成している。
中央突出体群αにおける突出体３０ａは、軸線Ａに沿って３個配列されており、外側突出体群βにおける突出体３０ｂは、軸線Ａと平行に２個配列されている。
また、中央突出体群αにおける突出体３０ａは、外側突出体群βにおける突出体３０ｂよりも高くされている。また、中央突出体群αの突出体３０ａの高さは同一にされ、外側突出体群βの突出体３０ｂの高さは同一にされている。
【００１２】
突出体３０ａ，３０ｂは、取付面１０ａに突設された台座部３１ａ，３１ｂと、台座部３１ａ，３１ｂの上面（突端）に形成された複数の突起部３２とを備えるものである。台座部３１ａ，３１ｂと突起部３２とは一体成形されている。
本実施形態において、台座部３１ａ，３１ｂは、ヘッド部１０の軸線Ａの方向を長手とする平面視略楕円形の円柱体とされ、突起部３２は、平面視略真円形の略円錐形とされている。
中央突出体群αにおける台座部３１ａのうち、ヘッド部１０先端側および基端側の台座部３１ａにおいては、その上面に突起部３２が、台座部３１ａの短手方向に２個、台座部３１ｂの長手方向に５個並んで形成されて、台座部３１ａ上に２列に形成されている。
中央突出体群αにおける台座部３１ａのうち、ヘッド部１０中央の台座部３１ａにおいては、その上面に突起部３２が、台座部３１ａの短手方向に２個、台座部３１ｂの長手方向に６個並んで形成されて、台座部３１ａ上に２列に形成されている。
外側突出体群βにおける台座部３１ｂにおいては、その上面に突起部３２が、台座部３１ｂの短手方向に２個、台座部３１ｂの長手方向に６個並んで形成されて、台座部３１ｂ上に２列に形成されている。
本実施形態における突起部３２の高さは全て同じにされている。
【００１３】
中央突出体群αにおける台座部３１ａの高さＨ１および外側突出体群βにおける台座部３１ｂの高さＨ２は、突出体３０ａ，３０ｂに求められる硬さや柔軟性、口腔内操作性を勘案して決定でき、具体的には、３〜１０ｍｍの範囲内にあることが好ましく、３〜６ｍｍの範囲内にあることがより好ましい。また、高さＨ１，Ｈ２が低いと、口腔内に挿入しやすくなるため、口が大きく開かない使用者（例えば、高齢者等）に好適となる。
本実施形態のように、中央突出群αにおける台座部３１ａが外側突出体群βにおける台座部３１ｂよりも高くされている場合、中央突出体群αにおける台座部３１ａの高さＨ１と外側突出体群βにおける台座部３１ｂの高さＨ２との差（Ｈ１−Ｈ２）は、０．５〜３．０ｍｍが好ましく、０．５〜１．５ｍｍがより好ましい。（Ｈ１−Ｈ２）が前記範囲であると、歯と歯茎の間へのフィット性、歯茎へのフィット性が高くなる。
台座部３１ａ，３１ｂの長さＬ１、すなわち、平面視における台座部３１ａ，３１ｂの長手方向の長さは、突出体３０ａ，３０ｂに求められる硬さや柔軟性を勘案して決定でき、具体的には、２〜２０ｍｍが好ましく、４〜８ｍｍがより好ましい。
台座部３１ａ，３１ｂの幅Ｗ１、すなわち、平面視における台座部３１ａ，３１ｂの短手方向の長さは、突出体３０ａ，３０ｂに求められる硬さや柔軟性を勘案して決定でき、具体的には、１〜５ｍｍが好ましく、１．５〜４ｍｍがより好ましい。
【００１４】
突起部３２の高さＨ３、すなわち、台座部３１ａ，３１ｂの上面から先端までの長さは、突起部３２の材質等を勘案して決定でき、具体的には、０．５〜５．０ｍｍが好ましく、０．５〜３．０ｍｍがより好ましい。上記範囲内であれば、より良好なマッサージ効果を得られる。
突起部３２の幅Ｒ１、すなわち、突起部３２の基端の直径は、突起部３２の材質等を勘案して決定でき、具体的には、０．５〜１．２ｍｍが好ましく、０．６〜１ｍｍがより好ましい。上記範囲内であれば、強度と柔軟性とのバランスが良好である。
【００１５】
突出体３０ａ，３０ｂを構成する軟質材料は、マッサージ時に適度に撓むものであり、硬さ（ＪＩＳＫ６２５３硬さ試験、試験条件ＪＩＳ  Ａ）が５〜１００のものが好ましく、２０〜６０のものがより好ましい。硬さが前記下限値以上であれば、充分な弾性を有するため、マッサージ効果がより高くなり、硬さが前記上限値以下であれば、歯肉の傷付きをより防止できる。
軟質材料の具体例としては、ポリオレフィン系熱可塑性エラストマー、ポリスチレン系熱可塑性エラストマー、ポリウレタン系熱可塑性エラストマー、ポリエステル系熱可塑性エラストマー、１，２−ポリブタジエン系熱可塑性エラストマー、エチレン−酢酸ビニル系熱可塑性エラストマー、ポリ塩化ビニル系熱可塑性エラストマー、天然ゴム系熱可塑性エラストマー、フッ素系熱可塑性エラストマー、トランス−ポリイソプレン系熱可塑性エラストマー等が挙げられる。
【００１６】
口腔内マッサージ用具１においては、マッサージの用途に特化する点では、歯ブラシに使用される毛束が取付面１０ａに植毛されていないことが好ましい。
【００１７】
本実施形態の口腔内マッサージ用具１は、電気的な駆動により振動する電動マッサージ用具であってもよい。電気的な駆動により振動させながら口腔内マッサージ用具１を用いて口腔内をマッサージした場合には、マッサージ効果がより発揮される。
【００１８】
電動式口腔内マッサージ用具としては、ハンドル部２０の内部に、電池と、各部の駆動を制御する制御回路と、超音波振動や音波振動などの振動を発生させる振動子とが水密に内蔵されたものが一例として挙げられる。
電池は、一次電池（例えば、単３又は単４の乾電池）であってもよいし、二次電池（例えば、ニッケルカドミウム電池、ニッケル水素電池、リチウムイオン電池）であってもよい。
制御回路は、電池と接続されて、ハンドル部２０に設けられた操作ボタンを使用者が操作した際に、その操作に応じた制御信号を生成し、この制御信号に基づいて後述する振動子への電力供給、並びに振動子の駆動を制御するものである。
振動子は、配線を介して上記ハンドル部２０内の制御回路と電気的に接続され、電力が供給された際に振動するものである。
【００１９】
また、電動式マッサージ用具は、上記制御回路を備えていなくてもよく、例えば、操作ボタンを使用者が操作した際に、電池から振動子へと電力を直接供給し、振動子が駆動するようになってもよい。
【００２０】
上記口腔内マッサージ用具１を用いて口腔内をマッサージする際には、台座部３１ａ，３１ｂの先端に形成された複数の突起部３２を歯茎等に押し当てる。突起部３２は容易に撓むため、柔らかい良好な当たり心地を得ることができ、また、歯茎の傷付きを防止できる。
また、突出体３０ａ，３０ｂは台座部３１ａ，３１ｂを備えるため、柔らかな突起部３２を歯茎等に押し当てた際にも充分な剛性を確保することができる。そのため、充分な力で歯茎をマッサージすることができ、マッサージ実感に優れる。
また、本実施形態では、中央突出体群αにおける台座部３１ａが外側突出体群βの台座部３１ｂよりも高くされているため、突出体３０ａ，３０ｂ全体としては歯と歯茎へのフィット性が高くなっている。
【００２１】
マッサージする際に薬剤を用いることもあり、その場合には、通常、突起部３２に薬剤を付着させることになる。上記の口腔内マッサージ用具１では、突起部３２に薬剤を付着させた際に毛細管現象が生じるため、粘度が低い薬剤でも保持しやすくなっている。そのため、薬剤を歯茎に効率的に塗布でき、薬剤の無駄な使用を削減できる。
【００２２】
なお、本発明の口腔内マッサージ用具は、上記実施形態に限定されない。
例えば、中央突出体群における突出体は、外側突出体群における突出体よりも低くされてもよい。中央突出体群における突出体が外側突出体群における突出体よりも低いと、突出体全体として歯茎へのフィット性が高くなる。
また、中央突出体群における複数の突出体の高さが異なってもよいし、外側突出体群における複数の突出体の高さが異なってもよい。
また、中央突出体群における突出体と外側突出体群における突出体とは同じ高さとされてもよい。
また、突出体は３列でなくてもよく、１列でもよいし、２列でもよいし、４列以上でもよい。軸線の方向に沿った突出体の数も２個、３個に制限されず、１個でもよいし、４個以上でもよい。また、ヘッド部に設けられた突出体の数は１個であっても構わない。
また、台座部の形状は、平面視円形の円柱体でもよいし、多角柱体（例えば、三角柱体、四角柱体等）でもよい。また、台座部は、軸線に対する垂直方向を長手とした形状であっても構わない。
【００２３】
突起部は角錐形でもよいし、円柱体、多角柱体でも構わない。ただし、歯茎への当たり心地がより良好になる点では、上記実施形態のように、突起部が、先端に向かうにつれて細くなる錐形が好ましい。
また、台座部突端の突起部の配置については、台座部の先端に突起部が複数形成されていれば特に制限されない。台座部の短手方向に１個または３個以上でもよいし、台座部の長手方向に１〜５個または７個以上並んで形成されてもよい。マッサージ効果を充分に発揮させるためには、１個の台座部に対して突起部が３個以上形成されていることが好ましく、突起部に薬剤を付着させてマッサージする場合には、１個の台座部に対して突起部が４個以上形成されていることが好ましい。
また、ヘッド部は板状でなくてもよく、例えば、棒状、球状、楕円球状等であってもよい。その場合、ヘッド部の取付面が曲面とされても構わない。
【実施例】
【００２４】
以下、本発明の具体例を示すが、本発明は以下の具体例に限定されるものではない。また、各例の突出体の配置については表１に図示する。
【００２５】
（実施例１）
一次の射出成形により、ポリプロピレン製の平面視略楕円形のヘッド部とハンドル部とを形成し、二次の射出成形により、平面視略楕円形の円柱体の台座部の上面に突起部が複数形成されたスチレン系エラストマー製の突出体をヘッド部に設けて、口腔内マッサージを作製した。
本例では、突出体を取付面に３列に形成し、軸線に沿った中央突出体群における突出体は、ヘッド部の長手方向に沿って３個配列し、中央突出体群を挟んだ両側の外側突出体群における突出体は、ヘッド部の長手方向に沿って２個配列した。また、中央突出体群における突出体と外側突出体群における突出体は高さを同じにした。
中央突出体群における突出体のうち、ヘッド部先端側および基端側のものにおいては、台座部の長手方向の長さを５．５ｍｍとし、台座部上面に円錐形の突起部を、台座部の短手方向に２個、台座部の長手方向に５個並ぶように形成した。
中央突出体群における突出体のうち、ヘッド部中央のものにおいては、台座部の長手方向の長さを７ｍｍとし、台座部上面に円錐形の突起部を、台座部の短手方向に２個、台座部の長手方向に６個並ぶように形成した。
外側突出体群における突出体においては、台座部の上面に円錐形の突起部を、台座部の短手方向に２個、台座部の長手方向に６個並ぶように形成した。
また、中央突出体群における台座部と外側突出体群における台座部は高さを６.０ｍｍで同一にし、突起部の高さは全て２．０ｍｍで同一とした。突起部形状は基部直径０．６ｍｍの円錐形状であり、先端部は直径０．４ｍｍの半球状とした。また、突起部のピッチは０．３６ｍｍとした。
【００２６】
（実施例２）
実施例１と同様に二色成形の射出成形により口腔内マッサージを作製した。
ただし、本例における突出体は、平面視略真円形の円柱形の台座部（直径２．０ｍｍ）と、各台座部の上面に３個形成された円錐形の突起部（高さ２．０ｍｍ）とを有するものである。また、本例では、突出体を取付面に４列に形成し、中央の２列の突出体は、ヘッド部の長手方向に沿って７個配列し、各外側突出体群における突出体は、ヘッド部の長手方向に沿って５個配列した。
【００２７】
（実施例３）
実施例１と同様に二色成形の射出成形により口腔内マッサージを作製した。
ただし、本例においては、突出体を取付面に３列に形成し、中央突出体群における突出体は、ヘッド部の長手方向に沿って２個配列し、各外側突出体群における突出体は、ヘッド部の長手方向に沿って１個配列した。
中央突出体群における突出体においては、台座部の長手方向の長さを１６．０ｍｍとし、台座部の上面に円錐形の突起部を、台座部の短手方向に２個、台座部の長手方向に８個並ぶように形成した。
外側突出体群における突出体においては、台座部の長手方向の長さを８．０ｍｍとし、台座部の上面に円錐形の突起部を、台座部の短手方向に２個、台座部の長手方向に１４個並ぶように形成した。
【００２８】
（実施例４）
実施例１と同様に二色成形の射出成形により口腔内マッサージを作製した。ただし、本例においては、外側突出体群における突出体の台座部の高さを５．０ｍｍとした。
【００２９】
（実施例５）
実施例１と同様に二色成形の射出成形により口腔内マッサージを作製した。ただし、本例においては、中央突出体群における突出体の台座部の高さを５．０ｍｍとした。
【００３０】
（実施例６）
実施例１と同様に二色成形の射出成形により口腔内マッサージを作製した。
ただし、本例においては  中央突出体群における突出体のうち、ヘッド部先端側および基端側の突出体の台座部の高さを６．０ｍｍとし、ヘッド部中央の突出体の台座部の高さを５．０ｍｍとした。
【００３１】
（比較例１）
突起部を形成しなかったこと以外は実施例１と同様にして口腔内マッサージ用具を作製した。
【００３２】
（比較例２）
突起部を形成しない代わりに台座部の先端をテーパ状にして高さ８．０ｍｍの突出体を形成したこと以外は実施例２と同様にして口腔内マッサージ用具を作製した。
【００３３】
（比較例３）
中央突出体群における突出体の代わりに、歯ブラシに使用される毛束を、ヘッド部の短手方向に２本、長手方向に８本、合計１６本植毛したこと以外は比較例１と同様にして口腔内マッサージ用具を作製した。
【００３４】
＜評価＞
各実施例および各比較例の口腔内マッサージ用具について、マッサージ実感、歯茎への当たり心地、歯と歯茎の間へのフィット性、歯茎へのフィット性を下記方法により評価した。それらの評価結果を表１に示す。
【００３５】
［マッサージ実感］
５人のモニタが各例のマッサージ用具を用いて口腔内をマッサージして、マッサージ実感について評価した。マッサージ実感の評価は、１点〜５点の５段階とされ、マッサージ実感が良好であると感じたものほど、高い点数となっている。５人のモニタの平均点を下記判定基準に分類し、マッサージ実感を評価した。
◎：４．０点以上
○：３．０点〜４．０点未満
△：２．０点〜３．０点未満
×：２．０点未満
【００３６】
［当たり心地］
５人のモニタが各例のマッサージ用具を用いて口腔内をマッサージして、歯茎への当たり心地について評価した。当たり心地の評価は、１点〜５点の５段階とされ、当たり心地が良好であると感じたものほど、高い点数となっている。５人のモニタの平均点を下記判定基準に分類し、当たり心地を評価した。
◎：４．０点以上
○：３．０点〜４．０点未満
△：２．０点〜３．０点未満
×：２．０点未満
【００３７】
［歯と歯茎の間へのフィット性］
５人のモニタが各例のマッサージ用具を用いて口腔内をマッサージして、歯と歯茎の間へのフィット性について評価した。歯と歯茎との間へのフィット性の評価は、１点〜５点の５段階とされ、歯と歯茎との間へのフィット性が良好であると感じたものほど、高い点数となっている。５人のモニタの平均点を下記判定基準に分類し、歯と歯茎との間へのフィット性を評価した。
◎：４．０点以上
○：３．０点〜４．０点未満
△：２．０点〜３．０点未満
×：２．０点未満
【００３８】
［歯茎へのフィット性］
５人のモニタが各例のマッサージ用具を用いて口腔内をマッサージして、歯茎へのフィット性について評価した。歯茎へのフィット性の評価は、１点〜５点の５段階とされ、歯茎へのフィット性が良好であると感じたものほど、高い点数となっている。５人のモニタの平均点を下記判定基準に分類し、歯茎へのフィット性を評価した。
◎：４．０点以上
○：３．０点〜４．０点未満
△：２．０点〜３．０点未満
×：２．０点未満
【００３９】
［総合評価］
マッサージ用具としての総合評価である。
◎：上記評価において◎が２つ以上で他は○
○：上記評価において◎が１つ以下で他は○
△：上記評価においていずれか１つが△で他は○または◎
×：上記評価においていずれか１つが×
【００４０】
【表１】
2013198593.tif 000003
【００４１】
台座部の上面に複数の突起部が形成された実施例１〜６の口腔内マッサージ用具では、マッサージ実感、歯茎への当たり心地、歯と歯茎の間へのフィット性、歯茎へのフィット性のいずれもが優れていた。
これに対し、突出体が台座部のみの比較例１，３の口腔内マッサージ用具では、マッサージ実感、当たり心地、歯と歯茎の間へのフィット性、歯茎へのフィット性のいずれもが不充分であった。
また、先端がテーパ状の突出体を備えるが、台座部の上面に突起部が設けられていない比較例２の口腔内マッサージ用具では、当たり心地は良好であるものの、マッサージ実感、歯と歯茎の間へのフィット性、歯茎へのフィット性が不充分であった。
【００４２】
また、実施例１と比較例１の口腔内マッサージ用具において、突出体の圧縮試験をおこなった。具体的には、図３に示すように、圧縮力を付与する円柱体１００を突出体３０ａ，３０ｂの先端に向かって移動させ、突出体３０ａ，３０ｂを圧縮速度１０ｍｍ／分で圧縮した。その際、圧縮深さに対する、円柱体１００が突出体３０ａ，３０ｂを圧縮する圧縮力を、圧縮力が４０Ｎに達するまで測定した。測定結果を図４に示す。
図４に示すように、比較例１の口腔内マッサージ用具では、圧縮開始から急激に圧縮力が上昇した。これに対し、実施例１の口腔内マッサージ用具では、圧縮深さ０．５ｍｍまでは緩やかに圧縮力が上昇し、０．５ｍｍより深くなると、圧縮力上昇の傾きは大きくなるが、比較例１の口腔内マッサージ用具よりは傾きが小さかった。
上記のことから、突起部を有していると、歯茎にかかる圧力を分散させることができ、当たり心地が良好になると思われる。一方、突起部を有していないと、歯茎に台座部が直接当たり、歯茎にかかる圧力が高くなるため、当たり心地が悪く、ときには歯茎に傷を付けると思われる。
【符号の説明】
【００４３】
１  口腔内マッサージ用具
１０  ヘッド部
１０ａ  取付面（表面）
２０  ハンドル部
３０ａ，３０ｂ  突出体
３１ａ，３１ｂ  台座部
３２  突起部
α  中央突出体群
β  外側突出体群
【図１】
2013198593.tif 000004
【図２】
2013198593.tif 000005
【図３】
2013198593.tif 000006
【図４】
2013198593.tif 000007